(57)【要約】  ポリマー材料と、ポリマー材料全体に分散された金属粒子状物質と、を含む、金属検出可能なレンズキャリア。金属検出可能なレンズキャリアは、１枚以上のレンズを保持するように構成される。かかるレンズキャリアを備えるアイウェア、及び該アイウェアを検出する方法もまた開示される。【選択図】図２
2013525846.tif 000002
【特許請求の範囲】
【請求項１】
金属検出可能なレンズキャリアであって、
ポリマー材料と、
前記ポリマー材料全体に分散された金属粒子状物質と、を含み、
前記金属検出可能なレンズキャリアが、１枚以上のレンズを保持するように構成される、金属検出可能なレンズキャリア。
【請求項２】
０．０８ｇと小さい前記キャリアの一部が、直径１．５ｍｍの鋼球を検出するように較正された金属検知器によって検出されることができる、請求項１に記載の金属検出可能なレンズキャリア。
【請求項３】
前記ポリマー材料が、ポリアミド、ポリオレフィン、ポリカーボネート、又はこれらの組み合わせを含む、請求項１に記載の金属検出可能なレンズキャリア。
【請求項４】
前記ポリマー材料がナイロン６−６を含む、請求項１に記載の金属検出可能なレンズキャリア。
【請求項５】
前記金属粒子状物質が、銀（Ａｇ）、銅（Ｃｕ）、金（Ａｕ）、アルミニウム（Ａｌ）、ベリリウム（Ｂｅ）、イリジウム（Ｉｒ）、タングステン（Ｗ）、モリブデン（Ｍｏ）、コバルト（Ｃｏ）、亜鉛（Ｚｎ）、ニッケル（Ｎｉ）、クロム（Ｃｒ）、チタン（Ｔｉ）、又はこれらの組み合わせを含む、請求項１に記載の金属検出可能なレンズキャリア。
【請求項６】
前記金属粒子状物質が金属繊維を含む、請求項１に記載の金属検出可能なレンズキャリア。
【請求項７】
前記レンズキャリアが、約１５０フィート／秒（４５．７メートル／秒）の速度でその上に衝突する１／４インチ（０．６４ｃｍ）の鋼球に耐えることができる、請求項１に記載の金属検出可能なレンズキャリア。
【請求項８】
ポリマー材料に対する金属粒子状物質の量（重量で）は、レンズキャリアの一部又はレンズキャリア全体の総重量の約５％〜約５０％であり得る、請求項１に記載の金属検出可能なレンズキャリア。
【請求項９】
前記レンズキャリアがフレームとつるとを備える、請求項１に記載の金属検出可能なレンズキャリア。
【請求項１０】
前記レンズキャリアが、１つ以上のブリッジを更に備える、請求項９に記載の金属検出可能なレンズキャリア。
【請求項１１】
前記レンズキャリアが、前記ポリマー材料及び前記金属粒子状物質から本質的になる、請求項１に記載の金属検出可能なレンズキャリア。
【請求項１２】
金属検出可能なアイウェアであって、
少なくとも１枚の光学レンズと、
前記少なくとも１枚の光学レンズを保持するように構成されるレンズキャリアと、を含み、前記レンズキャリアが、
ポリマー材料と、
前記ポリマー材料全体に分散された金属粒子状物質と、を含む、金属検出可能なアイウェア。
【請求項１３】
２枚のレンズを更に備える、請求項１２に記載の金属検出可能なアイウェア。
【請求項１４】
前記レンズキャリアがフレームとつるとを備える、請求項１２に記載の金属検出可能なアイウェア。
【請求項１５】
前記レンズキャリアが、１つ以上のブリッジを更に備える、請求項１４に記載の金属検出可能なアイウェア。
【請求項１６】
前記少なくとも１枚の光学レンズが金属検出可能である、請求項１２に記載の金属検出可能なアイウェア。
【請求項１７】
金属検出可能なアイウェアの少なくとも一部を検出する方法であって、前記方法は、
金属検出可能なアイウェアを提供することであって、
金属検出可能なアイウェアが、少なくとも１枚の光学レンズ、及び前記少なくとも１枚の光学レンズを保持するように構成されるレンズキャリアを含み、
前記レンズキャリアが、ポリマー材料、及び前記ポリマー材料全体に分散された金属粒子状物質を含む、
金属検出可能なアイウェアを提供することと、
前記レンズキャリアの少なくとも一部を金属検知器に通すことと、
前記金属検知器の使用によって前記レンズキャリア中の前記金属粒子状物質を検出することによって、前記金属検出可能なアイウェアの少なくとも一部を検出することと、を含む、方法。
【請求項１８】
前記レンズキャリアの一部が、約０．０８ｇと小さくあり得、それでもなお検出可能である、請求項１７に記載の方法。
【請求項１９】
前記金属検出可能なアイウェアが、前記少なくとも一枚の光学レンズの少なくとも一部を検出することによって検出され得る、請求項１７に記載の方法。
【発明の詳細な説明】
【技術分野】
【０００１】
本開示は、金属検知器によって検出可能であり得るレンズキャリアに関する。
【背景技術】
【０００２】
食品業界などの様々な業界で利用される自動機械は、金属の切粉又は細片を生じさせる可能性がある。そのような混入を防ぐために、金属検知器を使用してそうしたプロセスを監視する。典型的に使用される金属検知器は、２つの磁場を発生させ、その中央に変換器を有する。コンバーターは、２つの磁場を比較して、磁界の偏差を検出する。磁界の偏差は、検出領域内に金属が存在することを示す。
【０００３】
目に入る様々な混入物質から労働者を保護するために、食品業界の労働者は通常、保護めがねを着用する。一般に使用される保護めがねが食品工業機械の中に落ちると、めがねは粉砕される可能性があり、肉眼ではほぼ検出不可能な場合があり得る。少なくともその理由で、保護めがね又は保護めがねの一部がそのような環境下で検出可能であれば有利であろう。
【発明の概要】
【課題を解決するための手段】
【０００４】
ポリマー材料と、ポリマー材料中に分散された金属粒子状物質とを含む金属検出可能なレンズキャリアが、本明細書に開示される。金属検出可能なレンズキャリアは、１枚以上の安全レンズを保持するように構成される。
【０００５】
少なくとも１枚の光学レンズ、及び該少なくとも１枚の光学レンズを保持するように構成されたレンズキャリアを含む金属検出可能なアイウェアもまた開示される。レンズキャリアは、ポリマー材料、及びポリマー材料全体に分散された金属粒子状物質と、を含む。
【０００６】
金属検出可能な保護アイウェアの少なくとも一部を検出する方法もまた開示され、該金属検出可能なアイウェアは、少なくとも１枚の光学レンズ、及び該少なくとも１枚の光学レンズを保持するように構成されるレンズキャリアを含み、該レンズキャリアが、ポリマー材料、及びポリマー材料全体に分散された金属粒子状物質を含む。前記方法は、レンズキャリアの少なくとも一部を金属検知器に通すことと、金属検知器の使用によってレンズキャリア中の金属粒子を検出することによって、金属検出可能なアイウェアの少なくとも一部を検出することと、を含む。
【図面の簡単な説明】
【０００７】
以下の本開示の異なる実施形態の詳細な説明を添付図面と併せて考慮することで、本開示のより完全な理解が可能である。
【図１】金属検出可能なレンズキャリアの一部を概略的に示す。
【図２】メガネで使用することができるレンズキャリアを示す。
【図３】同様にメガネで使用することができるレンズキャリアを示す。
【図４】ゴーグルで使用することができるレンズキャリアを示す。
【図５Ａ】安全シールドで使用することができるレンズキャリアを示す。
【図５Ｂ】安全シールドで使用することができるレンズキャリアを示す。
【図６】２枚のレンズを備えるメガネで使用することができるレンズキャリアを示す。
【図７】本明細書に記載される例示的な方法を示すフローチャート。  図面は、必ずしも縮尺にしたがうものではない。図面で用いられる同様の番号は同様の構成要素を示すものとする。ただし、与えられた図の構成要素を示す数字の使用は、同じ数字を付された別の図の構成要素を限定することを意図するものではないことが理解されよう。
【発明を実施するための形態】
【０００８】
次の記述において、本明細書の一部を構成する添付の図面を参照し、いくつかの特定の実施形態を例として示す。本開示の範囲及び趣旨から逸脱することなく、他の実施形態が想到され、実施されうる点は理解されるはずである。したがって、以下の詳細な説明は、限定的な意味で解釈されるべきではない。
【０００９】
本明細書で使用するすべての科学用語及び専門用語は、特に指示がない限り、当該技術分野において一般的に使用される意味を有する。本明細書にて提供される定義は、本明細書でしばしば使用される幾つかの用語の理解を促進しようとするものであり、本開示の範囲を限定するものではない。
【００１０】
他に指示がない限り、本明細書及び特許請求の範囲で使用される特徴の大きさ、量、物理特性を表わす数字はすべて、どの場合においても用語「約」によって修飾されるものとして理解されるべきである。それ故に、そうでないことが示されない限り、前述の明細書及び添付の特許請求の範囲で示される数値パラメータは、当業者が本明細書で開示される教示内容を用いて、目標対象とする所望の特性に応じて、変化し得る近似値である。
【００１１】
終点による数の範囲の記述は、その範囲内（例えば、１〜５は、１、１．５、２、２．７５、３、３．８０、４、及び５を含む）及びその範囲内の任意の範囲に包含される全ての数を含む。
【００１２】
本明細書及び添付の特許請求の範囲において使用されるとき、単数形「ａ」、「ａｎ」及び「ｔｈｅ」は、その内容が特に明確に指示しない限り、複数の指示対象を有する実施形態を包含する。内容によってそうでないことが明らかに示されないかぎり、本明細書及び添付の「特許請求の範囲」において使用するところの「又は」なる語は、「及び／又は」を含めた意味で広く用いられる。
【００１３】
金属検出可能なレンズキャリア、例えば、度付き又は度なしの保護アイウェア又はその他のアイウェアで使用することができる金属検出可能なアイウェアのレンズキャリアが、本明細書にて開示される。本開示の例示の実施形態は、有利には、食品加工領域内の金属片を検出するために既に配置済みのものと同一設備によって検出可能であり得る。一般に、金属検出可能なレンズキャリアは、ユーザーによって装着される少なくとも１枚のレンズを保持するように構成され得る任意の構造体を含む。開示される金属検出可能なレンズキャリアは、一般に、ポリマー材料と金属粒子状物質とを含む。金属検出可能なレンズキャリア１００の一部を示す図１に例示されるように、金属粒子状物質１０４は、一般に、ポリマー材料１０２中に分散されることができる。
【００１４】
金属検出可能な安全レンズキャリアを作製するために使用することができるポリマー材料は、１種以上のポリマーを含み得る。複数の実施形態において、熱可塑性ポリマーを使用することができる。使用することができるポリマーとしては、比較的硬い剛性材料が挙げられる。代表的なポリマー材料としては、例えば、ポリアミド、ポリオレフィン、ポリカーボネート、ビニールポリマー、ポリエーテル、及びこれらのコポリマー（例えば、熱可塑性エラストマー）が挙げられる。ポリアミドの例としては、例えば、ナイロン−６、ナイロン−６，６及びナイロン−６／６，６コポリマー、ナイロン−１１、ナイロン−１２、並びにこのようなポリアミドのブレンドが挙げられる。ポリオレフィンの例としては、例えば、ポリエチレン、ポリスチレン、及びポリプロピレン、並びにアクリロニトリルブタジエンスチレンコポリマーなどのかかるポリマーを含むコポリマーが挙げられる。ポリカーボネート類の例としては、例えば、ポリカーボネート、及びポリビスフェノールＡが挙げられる。ビニールポリマーの例としては、ポリ塩化ビニル（ＰＶＣ）が挙げられる。ポリエーテルの例としては、ポリオキシメチレン（ＰＯＭ）が挙げられる。複数の実施形態において、金属検出可能な安全レンズキャリアは、ポリアミド、例えばナイロン（例えば、ナイロン６−６）で製造され得る。
【００１５】
金属検出可能なレンズキャリアはまた、ポリマー材料１０２全体に分散された１種類以上の金属粒子状物質１０４を含み得る。粒子状物質１０４は、粒子、繊維、又はウィスカを含み得る。好ましくは、金属粒子状物質は、ポリマー材料１０２全体に分散された、金属繊維などの複数の繊維（例えば、１０４）を包含する。好適な繊維は、典型的には、厚さを越える長さを有するが、繊維は規則的形状でない場合が多い。例えば、そのような繊維の断面の形状は均一でない可能性がある（いくつかの例示的な実施形態において、典型的な繊維断面は、綿ボールの断面に似ている）。いくつかの例示的な実施形態の繊維断面直径の典型的な寸法は、約１０〜３００マイクロメートル、より典型的には約２０〜５０マイクロメートルであってもよい。繊維の典型的な長さは、１ｃｍ以下、５ｍｍ以下、又は３ｍｍ以下であってもよい。しかしながら、他の寸法は本開示の範囲内にある。更に、繊維の形状は、処理中に変化する可能性がある。例えば、押出プロセス中、当初、長さ方向に伸ばされている繊維は、Ｕ字型又はより複雑な形状に似た形状になる場合がある。明らかに繊維と分類されない粒子状物質は、それでもなお、繊維に関連して言及された寸法と同様の寸法を有してもよい。いくつかの例示的な実施形態において、粒子状物質は、約１〜３００マイクロメートルの平均直径を有してもよい。
【００１６】
金属粒子状物質は、金属検知器によって検出可能な任意の材料を含むことができる。金属粒子状物質は、元素、化合物、又は合金を含むことができる。一般に、かかる材料は、鉄系、導電性、又はその両方である。いくつかの実施形態において、金属粒子状物質は、例えば、鉄、鋼鉄及び／又はステンレス鋼などの鉄含有金属を含むことができる。更なる実施形態において、金属粒子状物質は、例えば、銀（Ａｇ）、銅（Ｃｕ）、金（Ａｕ）、アルミニウム（Ａｌ）、ベリリウム（Ｂｅ）、イリジウム（Ｉｒ）、タングステン（Ｗ）、モリブデン（Ｍｏ）、コバルト（Ｃｏ）、亜鉛（Ｚｎ）、ニッケル（Ｎｉ）、クロム（Ｃｒ）、チタン（Ｔｉ）、カーボンブラック、及びグラファイトなどの、導電性の高い金属を含むことができる。
【００１７】
ポリマー材料１０２及び金属粒子状物質１０４の量は、ポリマー材料中の粒子状物質の分散が所望の特性を有するように選択される。例えば、ポリマー及び金属粒子状物質の量は、少なくとも一部には、所望のレベルの検出感度、ポリマー材料の所望の物理的性質（例えば、強度、耐破砕性等）、ポリマー材料をレンズキャリアの形態に加工するための望ましい能力、又はこれらのいくつかの組み合わせに基づいて選択され得る。（ポリマーの量に対する）金属粒子状物質の量が増加すると、ポリマー材料は金属検知器によってより検出可能になるが、それと同時に、例えば、耐破砕性も低くなる。このことは、金属粒子状物質の量が多すぎると、金属粒子状物質がポリマー鎖に影響を与えて、脆性プラスチックを生成する可能性があるという理由から起こり得る。（金属粒子状物質に対する）ポリマーの量が増加すると、ポリマー材料は、金属検知器によって検出されにくくなるが、それと同時に、例えば、より耐破砕性となり得る。
【００１８】
例示的な実施形態において、ポリマー材料１０２及び金属粒子状物質１０４の量は、これら２つの構成成分がもたらす対立する特性間の望ましいバランスに基づいて選択され得る。いくつかの実施形態において、金属粒子状物質１０４の量（重量で）は、粒子状物質１０４が位置付けられるレンズキャリアの一部１００又はレンズキャリア全体の重量の約５％〜約５０％であり得る（粒子状物質が分散されるポリマー材料の対応する量は約９５％〜約５０％である）。他の実施形態において、金属粒子状物質の量（重量）は、レンズキャリアの一部又はレンズキャリア全体の重量の約１０％〜約２０％であり得る（ポリマー材料の対応する量は約９０％〜約８０％である）。更に他の実施形態において、金属粒子状物質の量（重量で）は、レンズキャリアの一部又はレンズキャリア全体の重量の約１２％〜約１４％あり得る（ポリマー材料の対応する量は約８８％〜約８６％である）。
【００１９】
ポリマー材料は、例えば、架橋剤、抗酸化剤、加工助剤、紫外線安定剤、界面活性剤、顔料、染料、結合剤、可塑剤、懸濁化剤、難燃剤、及び促進剤などの任意の添加剤を含有してもよい。これら材料の量は、一般に、所望の特性をもたらすように選択され得る。いくつかの実施形態において、ポリマー材料は、例えば、少なくとも紫外線安定剤と染料とを含むことができる。
【００２０】
金属粒子状物質は、一般に、ポリマー材料中に分散される。一般に、この言い回しは、属粒子状物質が、本開示によるレンズキャリアの少なくとも一部のポリマー材料全体に分散されており（例えば、図１に例示されるように）、特定領域に具体的に限定されないことを指す（例えば、本開示の複数の実施形態では、金属粒子状物質は、ポリマー上の層の形態ではなく、また、ワイヤ、又はレンズキャリアのポリマー材料中又はポリマー材料上の極めて局部的な範囲内に分散された巨視的形態ではない）。金属粒子状物質は、ポリマー全体に均質に分散される必要はないが、ポリマー全体に比較的均一に分散され得る。金属粒子状物質は、一般に、ポリマー材料を固化する前に２種類の構成成分を一緒に混合することによって典型的に生じるであろうように、ポリマー中に分散され得る。
【００２１】
ポリマー材料は、当業者に既知であるように調製及び処理され得る。複数の実施形態において、モノマー又はオリゴマーと呼ぶことができるポリマーの前駆体は、金属粒子状物質と混合され、重合され、かつ硬化されて、レンズキャリアの少なくとも一部を形成することができる。複数の実施形態において、ポリマー自体が金属粒子状物質と混合かつ硬化されて、レンズキャリアの少なくとも一部を形成することができる。ポリマー材料が金属粒子状物質と混合される複数の実施形態では、固体ポリマー材料及び金属粒子状物質は一緒に混合され、この混合物の混合が完了したのを確実にするためにポリマー材料の融点を超えて加熱された後、レンズキャリアの少なくとも一部へと成形されることができる。ポリマー材料が金属粒子状物質と混合される他の実施形態では、これら２つの材料は混合され、射出成形されて、レンズキャリアの少なくとも一部を形成する。いくつかの例示的な実施形態では、レンズキャリア全体を形成するために先述の技術が用いられてもよい。
【００２２】
ポリマー材料は、任意のタイプのレンズキャリア又はレンズキャリアの一部へと成形され得る。本明細書に開示されるレンズキャリアは、１つ以上のレンズを保持するように機能する（２つ以上の構成要素の場合と同様に）１つ又は２つ以上の構成要素を含むことができる。レンズキャリアはまた、ユーザーが少なくとも１つのレンズを、例えば、眼の保護として使用するのを可能にする役割を果たすことができる。本明細書に開示されるポリマー材料を使用して、あらゆるタイプのレンズキャリアを金属検出可能なレンズキャリアにすることができる。
【００２３】
本開示によるレンズキャリアの代表的なタイプは、例えば、図２、図３、図４、図５、及び図６に示されているものを含む保護アイウェアといった様々なタイプのアイウェアで使用され得る。図２のアイウェアは、メガネと呼ぶことができる。この例示的なメガネはレンズキャリア１０を含むことができ、レンズキャリア１０は、この例示的な実施形態では、つる１２と（メガネには通常２つのつるが設けられるが、簡略化のため１つだけ示されている）、フレーム１３と、任意の連結部１４と（簡略化のため１つだけ示されている）を備えている。この例示的なレンズキャリア１０は、単一レンズ１１を保持する役割を果たす。しかしながら、こうした例示的な実施形態は、２枚以上のレンズを保持するように構成されてもよく、更に／又はより多くの若しくはより少ない構成要素を含んでいてもよい。いくつかの実施形態では、レンズキャリア１０の各部品を個々に検出可能にするために、図２に示されるレンズキャリア１０の全ての部分（つる１２、フレーム１３、及び任意の連結部１４）を、本明細書に開示される金属粒子状物質を含有するポリマー材料で作製することができる。他の実施形態では、図２に示されるレンズキャリア１０の全てよりは少ない部分が、本明細書に開示される金属粒子状物質を含有するポリマー材料で作製されることができる。他の実施形態では、図２に示されるレンズキャリアの一部のみが、本明細書に開示されるポリマー材料で作製されることができる。
【００２４】
図３に示されるアイウェアもまた、メガネと呼ぶことができる。この例示的なメガネは、この例示的な実施形態において、つる２２と、協働してレンズ２１をレンズキャリア２０の残りの部分に固定するつる取り付け部分２３と、任意の連結部２４と、１つ以上（典型的には２つ）のブリッジ２５とを備えるレンズキャリア２０を含んでいる。このレンズキャリアもまた、単一レンズ２１を保持する役割を果たす。しかしながら、こうした例示的な実施形態は、２枚以上のレンズを保持するように構成されてもよく、更に／又はより多くの若しくはより少ない構成要素を含んでいてもよい。いくつかの実施形態では、レンズキャリア２０の各部品を個々に検出可能にするために、図３に示されるレンズキャリア２０の全ての部分（つる２２、フレーム２３、及び任意の連結部２４）を、本明細書に開示される金属粒子状物質を含有するポリマー材料で作製することができる。他の実施形態では、図３に示されるレンズキャリアの全てよりは少ない部分が、本明細書に開示される金属粒子状物質を含有するポリマー材料で作製されることができる。他の実施形態では、図３に示されるレンズキャリアの一部のみが、本明細書に開示されるポリマー材料で作製されることができる。一実施形態では、１つ以上のブリッジ２５のみが、本明細書に開示される金属粒子状物質を含有するポリマー材料で作製されることができる。
【００２５】
図４に示される例示的なアイウェアは、ゴーグルと呼ぶことができる。例示的なゴーグルは、ストラップ３２とフレーム３３（このフレームは、単一の一体部品であることができ、又は例示的なフレーム３３へと成形される２つ以上の個々の部品で作製されることができる）とを備えるレンズキャリア３０を含んでいる。このレンズキャリア３０は、単一レンズ３１を保持する役割を果たす。しかしながら、こうした例示的な実施形態は、２枚以上のレンズを保持するように構成されてもよく、更に／又はより多くの若しくはより少ない構成要素を含んでいてもよい。いくつかの実施形態では、レンズキャリア３０の各部品を個々に検出可能にするために、図４に示されるレンズキャリアの全ての部分（ストラップ３２及びフレーム３３）を、本明細書に開示される金属粒子状物質を含有するポリマー材料で作製することができる。他の実施形態では、図４に示されるレンズキャリア３０の全てよりは少ない部分が、本明細書に開示される金属粒子状物質を含有するポリマー材料で作製されることができる。いくつかの実施形態では、図４に示されるレンズキャリアの一部のみが、本明細書に開示されるポリマー材料で作製されることができる。
【００２６】
図５Ａに示されるアイウェアは、安全シールドと呼ぶことができる。この例示的な安全シールドは、この例示的な実施形態において、つる４２ａと、協働してレンズ４１ａをレンズキャリア４０ａの残りの部分に固定するつる取り付け部分４３ａと、任意の内部フレーム４６ａと、１つ以上（典型的には２つ）のブリッジ４５ａと備えるレンズキャリア４０ａを含む。かかる例示的な実施形態も同様に、より多くの又はより少ない構成要素を含むように構成されてもよい。この例示的なレンズキャリアもまた、単一レンズ４１ａを保持する役割を果たす。いくつかの実施形態では、レンズキャリアの各部品を個々に検出可能にするために、図５Ａに示されるレンズキャリア４０ａの全ての部分（つる４２ａ、フレーム４３ａ、任意の内部フレーム４６ａ、及び１つ以上のブリッジ４５ａ）を、本明細書に開示される金属粒子状物質を含有するポリマー材料で作製することができる。他の実施形態では、図５に示されるレンズキャリア４０ａの全てよりは少ない部分が、本明細書に開示される金属粒子状物質を含有するポリマー材料で作製されることができる。いくつかの実施形態では、図５Ａに示されるレンズキャリアの一部のみが、本明細書に開示されるポリマー材料で作製されることができる。一実施形態では、１つ以上のブリッジ４５ａのみが、本明細書に開示される金属粒子状物質を含有するポリマー材料で作製されることができる。
【００２７】
図５Ｂは、別の例示的な安全シールドを示す。図５Ｂのこの示的な安全シールドは、調節装置４７ｂとフレーム４３ｂとを備えていてもよいヘッドバンド又はヘッドクレードル４２ｂを備えるレンズキャリア４０ｂを含んでいる。安全シールドのフレーム４３ｂは、クラウンとも呼ぶことができることに留意されたい。こうした例示的な実施形態も同様に、より多くの又はより少ない構成要素を含むように構成されてもよい。この例示的なレンズキャリア４０ｂは、単一レンズ４１ｂを保持する役割を果たす。いくつかの実施形態では、レンズキャリアの各部品を個々に検出可能にするために、図５Ｂに示されるレンズキャリア４０ｂの全ての部分（ストラップ４２ｂ、調節装置４７ｂ、及びフレーム４３ｂ）を、本明細書に開示される金属粒子状物質を含有するポリマー材料で作製することができる。他の実施形態では、図５に示されるレンズキャリア４０ｂの全てよりは少ない部分が、本明細書に開示される金属粒子状物質を含有するポリマー材料で作製されることができる。いくつかの実施形態では、図５Ｂに示されるレンズキャリアの一部のみが、本明細書に開示されるポリマー材料で作製されることができる。
【００２８】
図６に示されるアイウェアもまた、メガネと呼ぶことができる。この例示的なメガネは、つる５２と、フレーム５３と（フレーム５３の様々な部分は協働してレンズ５１ａ及び５１ｂを固定する）、１つ以上（典型的には２つ）のブリッジ５５と備えるレンズキャリア５０を含んでいる。このレンズキャリア５０は、２枚のレンズ５１ａ及び５１ｂを保持する役割を果たす。この例示的なレンズキャリアはまた、レンズを１つだけ保持するように及び／又はより多くの若しくはより少ない構成要素を備えるように構成されてもよい。いくつかの実施形態では、レンズキャリアの各部品を個々に検出可能にするために、図６に示されるレンズキャリア５０の全ての部分（つる５２、フレーム５３、及びブリッジ５５）を、本明細書に開示される金属粒子状物質を含有するポリマー材料で作製することができる。他の実施形態では、図６に示されるレンズキャリアの全てよりは少ない部分が、本明細書に開示される金属粒子状物質を含有するポリマー材料で作製されることができる。いくつかの実施形態では、図６に示されるレンズキャリアの一部のみが、本明細書に開示されるポリマー材料で作製されることができる。一実施形態では、１つ以上のブリッジ５５のみが、本明細書で開示される金属粒子状物質を含有するポリマー材料で作製されることができる。図６の例示的なメガネは、任意のサイドシールド５６も含んでいる。任意のサイドシールド５６はまた、レンズキャリア５０の他の例示的な構成要素に加えて又はこれらの代わりに、本明細書に開示される金属粒子状物質を含有するポリマー材料で作製されることができる。
【００２９】
図２〜図６に示されるもののようなレンズキャリアは、本明細書に図示されない構成要素を備えることができることにも留意されたい。そうした任意の構成要素は、本明細書に開示される金属粒子状物質を含有するポリマー材料で作製され、それによって該構成要素を独立して金属検出可能にすることができるが、その必要はない。更に、こうした例示的な実施形態は、他の好適な構成を有してもよく、更に／又はより少ない構成要素を備えていてもよい。図２〜図６に示される例示的な実施形態の様々な構成要素は、所望の場合には変更及び交換されてもよい。
【００３０】
開示されるレンズキャリアは、保護メガネのための種々の標準試験に合格すると予想される。例えば、開示されるレンズキャリアは、例えば、ＡＮＳＩ  Ｚ８７．１などの安全ガラス工業規格に合格すると予想される。高速度衝撃に関し、ＡＮＳＩ  Ｚ８７．１は、保護メガネが、約４５．メートル／秒（１５０フィート／秒）の速度で移動する直径６．３５ｍｍ（１／４インチ）の鋼球による衝撃に耐えることができることを要求する。基本的な衝撃要件に関し、２５．４ｍｍの鋼球が１２７ｍｍ（５０インチ）の高さからレンズの上に落とされる。ＡＮＳＩ  Ｚ８７．１は、安全ゴーグルが、約７６．２メートル／秒（２５０フィート／秒）の速度で移動する直径６．３５ｍｍ（１／４インチ）の鋼球による衝撃に耐えることができることを要求する。ＡＮＳＩ  Ｚ８７．１は、安全シールドが、約９１．４メートル／秒（３００フィート／秒）の速度で移動する直径６．３５ｍｍ（１／４インチ）の鋼球による衝撃に耐えることができることを要求する。開示されるレンズキャリアはまた、様々な政府事業体又は国によって決められることができる様々なその他の安全ガラス工業規格に合格すると予想される。
【００３１】
本開示によるレンズキャリアを形成する任意の構成要素の一部は、独立して金属検出可能であり得る。例えば、レンズキャリアの（例えば）フレームが断裂した場合、そのフレームの任意の一部もまた金属検出可能であり得る。開示されるレンズキャリアは、１．５ｍｍの鋼球の同等物を検出するように設定された金属検知器によって検出されることができる。複数の実施形態において、開示されるレンズキャリアの一部は、１．５ｍｍの鋼球の同等物を検出するように設定された金属検知器によって検出されることができる。複数の実施形態において、開示されるレンズキャリアの約０．０８ｇと小さい一部は、１．５ｍｍの鋼球の同等物を検出するように設定された金属検知器によって検出されることができる。
【００３２】
開示されるレンズキャリアは、金属検出可能なアイウェアを形成するために、度付き又は度なしレンズなどの１種類以上のレンズと組み合わせて使用され得る。開示されるレンズキャリアは、少なくとも１枚のレンズを機械的に保持することができる。少なくとも１枚のレンズは、レンズキャリアによって解放可能に保持されることができ、又はレンズキャリアによって恒久的に保持されることができる。開示されるレンズキャリアは、例えば、１枚のレンズ、又は２枚のレンズと組み合わされることができる。金属検出可能なアイウェアは、例えば、上で図示されたようなメガネ、ゴーグル、又は安全シールド、あるいはその他の任意のアイウェアであり得る。
【００３３】
開示されるレンズキャリアは、一般に使用される安全レンズ、度付きレンズ、又はその両方と組み合わされることができる。開示されるレンズキャリアは、金属検出可能なレンズと組み合わされることも可能である。例示的な金属検出可能なレンズは、同一出願人による米国特許出願第１２／７６４，１２２号、発明の名称「Ｍｅｔａｌ  Ｄｅｔｅｃｔａｂｌｅ  Ｌｅｎｓ」（Ｄｏｎａｌｄ  Ｓ．Ｓｅｅｔｏ）に見出すことができる。
【００３４】
金属検出可能な保護アイウェアの少なくとも一部を検出する方法もまた、本明細書に記載される。１つのかかる例示的方法が図６に示されている。かかる方法の第１の工程（工程６２）は、金属検出可能なアイウェアを提供している。金属検出可能なアイウェアを提供する工程は、開示されるレンズキャリアを備える任意の金属検出可能なアイウェアを提供することを含み得る。前記提供する工程は、例えば、アイウェアを製造する、購入する、又は単純にユーザーに提供することによって達成される。複数の実施形態では、金属検出可能なアイウェアは、所望により、金属検出可能なレンズを含むこともできる。
【００３５】
次の工程（工程６４）は、レンズキャリアの少なくとも一部を金属検知器に通すことを含む。金属検知器は、レンズキャリアの一部を検出することが可能な任意のタイプの金属検知器を包含することができる。いくつかの実施形態において、金属検知器は、食品業界、又は他の製造業で一般に使用されるものを含み得る。使用可能な金属検知器は、製造装置のより大きな部品内に配置されることができ、又は独立型であることができる。
【００３６】
次の工程（工程６６）は、レンズキャリアの一部を検出することを含む。レンズキャリアの一部は、レンズキャリア内の金属粒子状物質の一部を検出することによって検出され得る。上述のように、金属検知器は、一般に、レンズキャリアの一部を検出するように機能する。複数の実施形態において、検出されるレンズキャリアの一部は、約０．０８ｇという小ささであり得る。
【００３７】
このように、金属検出可能なレンズキャリアの実施形態が開示される。本開示が、開示されたもの以外の実施形態で実施されうることは当業者に理解されるであろう。開示された実施形態は、図示の目的のために示され、制限のために示されてはおらず、本開示は以下の「特許請求の範囲」によってのみ制限される。
【図１】
2013525846.tif 000003
【図２】
2013525846.tif 000004
【図３】
2013525846.tif 000005
【図４】
2013525846.tif 000006
【図５Ａ】
2013525846.tif 000007
【図５Ｂ】
2013525846.tif 000008
【図６】
2013525846.tif 000009
【図７】
2013525846.tif 000010
【国際調査報告】
2013525846.tif 000011
2013525846.tif 000012